(57)【要約】【課題】  要求される照度を確保しつつ、手軽に装飾性、雰囲気を与えることができるコンパクトな装飾照明装置を提供する。【解決手段】  壁面に取付けるための基台に、主光源とＬＥＤ光源が併設された装飾照明装置であって、前記主光源は、前記基台に凹設された主光源用収容部に収容され、前記ＬＥＤ光源は、前記基台の発光面側に載置固定された装飾表示板の一側面から入光できるように配設され、前記装飾表示板は、彫刻模様が形成された２枚の導光板を、彫刻面同士を重ね合わせてなり、各導光板の一側縁には、前記ＬＥＤ光源の外形に合うように切り欠きされたＬＥＤ光源装着部を有している。【選択図】  図１
2005129426.tif 000002
【特許請求の範囲】
【請求項１】
壁面に取付けるための基台に、主光源とＬＥＤ光源が併設された装飾照明装置であって、
前記主光源は、前記基台に凹設された主光源用収容部に収容され、
前記ＬＥＤ光源は、前記基台の発光面側に載置固定された装飾表示板の一側面から入光できるように配設され、
前記装飾表示板は、彫刻模様が形成された２枚の導光板を、彫刻面同士を重ね合わせてなり、各導光板の一側縁には、前記ＬＥＤ光源の外形に合うように切り欠きされたＬＥＤ光源装着部を有している装飾照明装置。
【請求項２】
前記主光源用収容部には、収容された前記主光源を覆う保護カバーが取付けられていて、該保護カバーには、前記主光源からの照明色を変えることができる色調整カバーを着脱自在に取付けることができる請求項１に記載の装飾照明装置。
【請求項３】
前記ＬＥＤ光源は、赤色ＬＥＤ、青色ＬＥＤ及び緑色ＬＥＤをそれぞれ少なくとも１個づつ備え、
赤色ＬＥＤ、青色ＬＥＤ及び緑色ＬＥＤのうち少なくとも１種を所定時間毎にオンオフするように制御する制御回路を備えている請求項１又は２に記載の装飾照明装置。
【請求項４】
前記基台に光透過孔が開設され、前記基台における前記装飾表示板用載置部分の裏側に点滅ライトが取付けられていて、前記光透過孔から前記点滅ライトの点滅光が放出される請求項１〜３のいずれかに記載の照明装置。
【請求項５】
前記主光源は白熱ランプ又は蛍光ランプであって、
前記主光源用収容部の側壁にランプソケットが取付けられていて、前記収容部の壁面は反射板となっている請求項１〜４に記載の装飾照明装置。
【請求項６】
前記光源収容部の開口部枠体はシール材を介して前記保護カバーで閉塞され、
前記装飾表示板の前記ＬＥＤ光源装着部先端よりも内側に、シール材が取付けられ、
前記装飾表示板を前記基台上に載置固定するための押え部材が、シール材を介して、前記ＬＥＤ光源装着部に装着された前記ＬＥＤ光源を覆うように取付固定されている請求項２〜５に記載の装飾照明装置。
【請求項７】
前記主光源及び前記ＬＥＤ光源の双方に通電する場合と、一方だけに通電する場合とを切り替えることができる切り替えスイッチを備えた請求項１〜６に記載の装飾照明装置。
【発明の詳細な説明】
【技術分野】
【０００１】
本発明は、居間、寝室、浴室、玄関等の作業を主目的としない一般家庭の居室や、レストラン、パブ、喫茶店等の飲食用店舗、ホテルの客室等の商業上居室において、装飾照明、雰囲気照明に用いられる壁取付タイプの照明装置に関する。
【背景技術】
【０００２】
従来より、パブや喫茶店等の室内の雰囲気を重視する飲食用店舗やホテルの客室では、室内に豪華さや雰囲気を付与するために、シャンデリアのようなクラシックデザイン照明装置、あるいは円筒形や円錐形の笠を利用したスタンドタイプのようなデザイン性に満ちた照明装置を用いたり、照明の色を工夫した照明装置が用いられている。また、壁面に凹凸をつけたり、絵画を展示したり、壁面の一部をステンドグラスとして、そこに重点的にスポット照明を当てるといった演出照明を行っている場合もある。
【０００３】
一方、居間、寝室、浴室といった作業を主目的としない一般家庭の居室においては、近年、くつろぎや癒やし空間としての役割を求めるようになり、これらのニーズを満足させるものとして、居室空間の雰囲気や装飾効果を有する照明装置を求める需用者が増えてきている。
【０００４】
しかし、一般家屋の限られた空間では、シャンデリアや大型スタンドの使用、演出照明といった大がかりな照明装置を使用することは容易ではないため、手軽に楽しめる照明装置が必要とされる。
【０００５】
一般家庭用の装飾照明装置としては、例えば、特許文献１には、壁面に凹凸模様を施し、発光ダイオード（ＬＥＤ）からの光を壁面に照射されるようにした演出照明装置が提案されている。この演出照明装置は、ＬＥＤからの光が壁面の凹凸模様に浮き出て、浴室内を演出するもので、一般家庭でも行える演出照明であるが、やはり限定された壁面にしか適用できず、またデザインの変更も容易でないという点から、手軽さに欠ける。
【０００６】
壁面に拘束されない家庭用の装飾照明装置としては、特許文献２に、ＬＥＤの取付個数を変化させたり、色の異なるＬＥＤを用いて発光させるＬＥＤを適宜選択したり、色の変化の周期や順序を設定することにより、装飾性を付与した浴室用装飾性照明装置が提案されている。このようにＬＥＤを光源として用いた照明装置は、赤色ＬＥＤ、青色ＬＥＤ、緑色ＬＥＤの３種類のＬＥＤの配置、各ＬＥＤに通電する電流等を制御することにより、照明光の色を適宜変化させて雰囲気、装飾性を付与することが可能である。しかしながら、ＬＥＤ光源単独で、室内に必要な照度を確保するためには、広範囲にわたってＬＥＤを配設、あるいは室内の複数箇所にＬＥＤを多数配設する必要がある。
【０００７】
一方、装飾性を重視した照明装置として、特許文献３には、意匠面を形成した平板状の導光体の側面側に対向してＬＥＤ光源を配置し、ＬＥＤ光源の光を側面側より導入して上面意匠面より放出する導光体を備えた照明装置が開示されている。光を透過しない材料に所望形状の光透過孔を有する文字板を意匠面上に配置し、意匠面から放射される光によって所望形状を明るく表示するものである。文字板に開設された光透過孔の形状デザインにより装飾性が得られるが、文字板によりＬＥＤからの発光の一部が空間に放出されることを遮断しているため、照明装置としての照度を十分得るためには、大型のものに成らざるを得ない。このような理由から、特許文献３に開示されている照明装置は、居室空間用ではなく、自動車用照明装置といったかなり狭い空間での利用に限られている。
【０００８】
【特許文献１】特開２００１−２９７６０５
【特許文献２】特開２００１−１６７６１８
【特許文献３】特開２００２−２７９８１７
【発明の開示】
【発明が解決しようとする課題】
【０００９】
本発明は、以上のような事情に鑑みてなされたものであり、その目的は、居室空間において要求される照度を確保しつつ、手軽に装飾性、雰囲気を与えることができるコンパクトな装飾照明装置を提供することにある。
【課題を解決するための手段】
【００１０】
本発明の装飾照明装置は、壁面に取付けるための基台に、主光源とＬＥＤ光源が併設された装飾照明装置であって、前記主光源は、前記基台に凹設された主光源用収容部に収容され、前記ＬＥＤ光源は、前記基台の発光面側に載置固定された装飾表示板の一側面から入光できるように配設され、前記装飾表示板は、彫刻模様が形成された２枚の導光板を、彫刻面同士を重ね合わせてなり、各導光板の一側縁には、前記ＬＥＤ光源の外形に合うように切り欠きされたＬＥＤ光源装着部を有している。
【００１１】
前記主光源用収容部には、収容された前記主光源を覆う保護カバーが取付けられていて、該保護カバーには、前記主光源からの照明色を変えることができる色調整カバーを着脱自在に取付けることができるようにしてもよい。
【００１２】
前記ＬＥＤ光源は、赤色ＬＥＤ、青色ＬＥＤ及び緑色ＬＥＤをそれぞれ少なくとも１個づつ備え、赤色ＬＥＤ、青色ＬＥＤ及び緑色ＬＥＤのうち少なくとも１種を所定時間毎にオンオフするように制御する制御回路を備えていることが好ましい。
【００１３】
前記基台に光透過孔が開設され、前記基台における前記装飾表示板用載置部分の裏側に点滅ライトが取付けられていて、前記光透過孔から前記点滅ライトの点滅光が放出されるようにしてもよい。
【００１４】
前記主光源が白熱ランプ又は蛍光ランプの場合、前記主光源用収容部の側壁にランプソケットが取付けられていて、前記収容部の壁面は反射板となっていることが好ましい。
【００１５】
また、本発明の装飾照明装置には、前記主光源及び前記ＬＥＤ光源の双方に通電する場合と、一方だけに通電する場合とを切り替えることができる切り替えスイッチを備えたていることが好ましい。
【００１６】
本発明の装飾照明装置で防水性を付与したい場合には、前記光源収容部の開口部枠体はシール材を介して前記保護カバーで閉塞され、前記装飾表示板の前記ＬＥＤ光源装着部先端よりも内側に、シール材が取付けられ、前記装飾表示板を前記基台上に載置固定するための押え部材が、シール材を介して、前記ＬＥＤ光源装着部に装着された前記ＬＥＤ光源を覆うように取付固定されていることが好ましい。
【発明の効果】
【００１７】
本発明の装飾照明装置は、大がかりな壁面工事や、居室面積に比して広すぎると思われる装飾照明装置のための設置面積を要することなく、需用者の多様な癒やし、くつろぎのニーズに応えることができるように、多彩なデザイン、照明色を種々に選択することができ、しかも時間、場所に応じて、必要な明るさと優しい弱い光を適宜選択することができる。
【発明を実施するための最良の形態】
【００１８】
図１は、本発明の装飾照明装置の一実施形態を示す斜視図である。この装飾照明装置は、基台１を壁面に取付けるウォールライトに属する。
【００１９】
基台１の上方部には図２に示すような主光源用収容部２、下方部には図３に示すような装飾表示板用載置部３が凹設されている。また、基台１表面（発光面）には、左右両側縁に沿って、光透過孔４が５箇所づつ開設され、各光透過孔４には、無色透明、あるいはピンク、ブルー、グリーン、レモンイエロー、オレンジ、パープルといった各種色彩を有する光透過性部材がはめ込まれている。光透過性部材としては、ガラス、透明性プラスチック等が挙げられる。
【００２０】
主光源用収容部２の一側壁面には電源部（図示せず）に接続されるソケット５が据え付けられていて、このソケット５に、主光源となる白熱ランプ１０が取付けられている。収容部２の壁面は、主光源たる白熱ランプ１０の放出光が、発光面となる基台１の表面に効率良く放出されるように、銀箔やアルミニウム薄板等の反射板６が貼付又は貼設されている。
【００２１】
基台１の主光源用収容部２には、収容されている白熱ランプ１０を保護するための保護カバー１１がネジ止め等により取付けられている。保護カバー１１としては、主光源が所定の照度を確保できるように、通常アイボリー乃至乳白色のプラスチック製カバーが用いられる。この保護カバー１１の側面には、嵌合凸部１１ａが突設していて、図４に示すような色調整カバー１２を脱着自在に取り付けできるようになっている。
【００２２】
色調整カバー１２は、保護カバー１１に装着できるように保護カバー１１より一回り大きくしたカバーで、保護カバー１１の嵌合凸部１１ａに相当する部分に、嵌合凹部１２ａとなる小孔が開設され、この嵌合凹部１２ａ部分が嵌合凸部１１ａに嵌合しやすいように、嵌合凹部１２ａの両側に切り込み１２ｂ，１２ｂが入っていて、嵌合凹部片１２ｃが外力で撓めるようになっている。
【００２３】
色調整カバー１２は、主光源１０の照明色を変えるために、保護カバー１１に適宜被冠するカバーで、ピンク、ブルー、グリーン、レモンイエロー、オレンジなど各種の色のカバーを準備をしておくことにより、好みに応じて照明色を変えることができる。
【００２４】
表示板用載置部３は、基台１の下方に相当する部分が、基台１の厚みＴに相当する深さの空間２１を有し、その空間２１には、ＬＥＤ光源２３となるＬＥＤ２３ａ〜２３ｆを取付けた制御回路基板２２が、基台１の厚み方向に挿設されている。従って、ＬＥＤ２３ａ〜２３ｆは、載置部３の上方に向けて、換言すると、載置部３に載置固定される表示板３０の一側面に向けて入光できるように配設されている。
【００２５】
ＬＥＤ光源２３は、赤色ＬＥＤ（例えば２３ａと２３ｄ）、青色ＬＥＤ（例えば２３ｂと２３ｅ）、緑色ＬＥＤ（例えば２３ｃと２３ｆ）の３種類を一組として、制御回路基板２２に取付けられている。本実施形態では、２組のＬＥＤ光源組２３Ａ、２３Ｂが取付けられている。
【００２６】
表示板用載置部３の回路基板挿設用空間２１以外の部分は、図５に示すような装飾表示板３０が載置固定できるように、装飾表示板３０の厚み相当分だけの深さｔを有し、表示板３０とほぼ同形状をしている。
【００２７】
装飾表示板３０は、模様が彫刻された２枚の導光板３０ａ，３０ｂを、彫刻面同士を重ね合わせたものである。１枚の導光板の一側縁には、ＬＥＤを装着できるように、ＬＥＤの外形に合うように切欠きされている。発光面側となる導光板３０ａには、制御回路基板２２が挿設された状態で発光面側に配設される４個のＬＥＤ２３ａ，２３ｂ，２３ｄ，２３ｅに対応するＬＥＤ装着部３１ａ，３１ｂ，３１ｄ，３１ｅが切り欠きされている。また、基台１面側となる導光板３０ｂには、制御回路基板２２が挿設された状態で基台１の底面側に配設される２個のＬＥＤ２３ｃ，２３ｆに対応するＬＥＤ装着部３１ｃ，３１ｆが切り欠きされている。
【００２８】
このようなＬＥＤ装着部３１を有する２枚の導光板３０ａ，３０ｂを重ね合わせて表示板３０を形成すると、発光面側となる導光板３０ａのＬＥＤ装着部３１ａ，３１ｂ（又はＬＥＤ装着部３１ｄ，３１ｅ）と基台１側となる導光板３０ｂのＬＥＤ装着部３１ｃ（又ＬＥＤ装着部３１ｆ）とが、ほぼ等間隔に配置され、これにより、装飾表示板３０に、赤色ＬＥＤ、青色ＬＥＤ及び緑色ＬＥＤからなる１組のＬＥＤ光源組２３Ａ（又は２３Ｂ）に対応するＬＥＤ装着部の組３１Ａ（又は３１Ｂ）が形成される。
【００２９】
導光板３０ａ，３０ｂは、アクリル、ポリカーボネート等の透明性プラスチック板で、サンドブラスト、溶解等により、ＬＥＤ装着部３１ａ，３１ｆより上方の部分に、模様が彫刻されている。
【００３０】
２枚の導光板３０ａ，３０ｂの重ね合わせにあたっては、各ＬＥＤ装着部３１の先端よりやや上方まで、反射フィルム３３を挟んで重ね合わされている。これにより、装着部３１に装着されたＬＥＤからの放出光が、ＬＥＤ装着部３１より上方にある模様を主体とする部分に効率的に入光されるようになっている。
【００３１】
装飾表示板３０には、少なくとも模様が施された部分の周縁、好ましくはＬＥＤ装着部３１以外の周縁には、反射フィルム３４が貼付されていて、これによりＬＥＤからの放出光が表示板３０の周縁から外部に放出されるのを防止し、表示板平面部で効率的に面発光できるようにしている。
【００３２】
表示板３０の模様が施されていない下方部に、２カ所ネジ穴３５，３５が開設されていて、載置部３にセット後、押え部材４０で基台１にネジ固定するようになっている。
【００３３】
図５中、３６は、表示板３０に取付けられたゴム製リングで、これにより、表示板用載置部３に表示板３０を取付固定したときに、外部空間から、ＬＥＤ光源２３をシールすることが可能となる。
【００３４】
以上のような構成を有する表示板３０を、ＬＥＤ装着部３１ａ〜３１ｆが下方になるように、すなわちＬＥＤ装着部３１Ａ，３１Ｂに対応する部分にＬＥＤ光源組２３Ａ，２３Ｂが装着されるように、載置部３に載置し、押え部材４０で表示板３０を基台１にネジ固定することにより取付固定する。このようにして、基台１表面に、ＬＥＤ光源２３により面発光する表示板３０が取付けられる。
【００３５】
各ＬＥＤ光源組２３Ａ，２３Ｂは、制御回路基板２２により、通電するＬＥＤを順次切り替えることができる。例えば、赤色ＬＥＤ、青色ＬＥＤ、緑色ＬＥＤの全てに通電された状態から、緑色ＬＥＤが消え、次いで緑色ＬＥＤのスイッチオンになるとともに、赤色ＬＥＤのスイッチがオフされるといったように、連続的にＬＥＤのいずれか一つをオフしていくように制御することで、表示板３０には各種色に順次切り替わって発光する。これにより、表示板３０に施された模様の色彩が順次に変化していくように見えるため、動的に変化ある照明色及び模様を楽しむことが可能となる。
【００３６】
基台１の表示板用載置部３の裏側に相当する部分に、点滅ライト（図示せず）が収納されている。点滅ライトの光は、基台１に開設された光透過孔４から外部空間へむけて発光するようになっている。
【００３７】
また、基台１の側面には、主光源１０、ＬＥＤ光源２３、点滅ライトのオンオフを行うためのスイッチ９を備えている。主光源１０、ＬＥＤ光源２３、点滅ライトは、いずれか一種又は２種、あるいは全てのライトをオンしたり、オフしたり、適宜切り替えることができるようになっている。
【００３８】
以上のような構成を有する装飾照明装置の基台１を壁面に取付けると、主光源１０がウォールライトとして、居室空間に必要な所定の明るさを提供することができる。そして、表示板３０は、壁面に取付けた多彩な色彩を有する絵画のように面発光して、室内の装飾的効果を高めることができる。さらに、点滅ライトをつけたときには、ライトの点滅により、照明のリアルタイムの変化を楽しむことができる。
【００３９】
一方、寝室のように、誘眠を必要とする場合には、主光源１０、点滅ライトを消し、優しい光のＬＥＤ光源２３だけをスイッチオンとしておくことにより、全くの暗黒ではなく、誘眠できる程度の弱い光でしかも装飾的雰囲気を実現できる。
【００４０】
装飾表示板３０は、押え部材４０により載置部３に載置固定されているだけなので、容易に取り外して、別のデザインが施された装飾表示板と取り替えることができる。従って、製造者が異なるデザインを施した多種類の装飾表示板を準備しておくことにより、多様な需用者のニーズに応えることができるばかりか、購入者自身が異なるデザインが施された複数の装飾表示板を所有しておくことにより、１台の装飾照明装置で、気分に応じて、表示板のデザインを変えることができる。
【００４１】
また、主光源の保護カバー１１に色調整カバー１２を取付けて、主光源１０の照明色を好みの色に容易に変えることができ、また照度を落とすことにより、表示板３０の色の変化がより鮮明に映えるようになる。
【００４２】
従って、色調整カバー１２、表示板３０、点灯する光源の種類を適宜選択することにより、１つの照明装置で各種バラエティに富んだ雰囲気、装飾を楽しむことができる。
【００４３】
尚、上記実施形態では、主光源１０として白熱ランプを用いたが、本発明の照明装置はこれに限定されない。ハロゲンランプ、蛍光ランプなど、用途、必要とされる照度に応じて、適宜選択できる。主光源に用いるランプの種類によって、反射板６、ソケット５は不要となる場合がある。
【００４４】
また、図１に示す実施形態では、装飾表示板３０は半月状をしていたが、本発明の装飾装置はこれに限定されない。楕円形、方形状など、基台の形状、デザイン等に応じて、種々の形状とすることができる。また、表示部３０の基台１への取付は、図１に示す実施形態では、押え部材４０をネジ固定することにより行ったが、本発明の装飾照明装置はこれに限定されず、係合、嵌合など、脱着可能な適宜手段により取付けるものであってもよい。
【００４５】
さらに、図１に示す実施形態においては、保護カバー１１は略箱形であったが、本発明はこれに限定しない。主光源が収容部内に収まっている場合には、板状カバーを用いることができる。この場合、色調整カバー１２は、平板状保護カバーに重ね合わせる平板となる。
【００４６】
またさらに、図１に示す実施形態においては、主光源１０を上方に配置し、装飾表示板３０を下方に配置していたが、本発明の装飾照明装置は、主光源、装飾表示板の位置関係を特に限定しない。主光源を下方とし、装飾表示板を上方としてもよいし、両者を左右に並べるように配置してもよい。また、図１に示す実施形態では、点滅ライトを併設していたが、本発明の照明装置は点滅ライトの併設は必須ではない。本発明の装飾照明装置を軽薄短小にしたい場合には、点滅ライトを併設しなくてよい。
【００４７】
さらにまた、上記実施形態において、主光源収容部の開口部枠体部分に、ゴム製パッキン等のシール材を敷設した後、保護カバーをすることにより、主光源用収容部の防水を図ることができる。同様に、表示板３０に取付られているゴム製リングを、図５に示すように、ＬＥＤ光源装着部３１ａ〜３１ｆの先端部よりも内側（模様が施された側）に位置固定するとともに、表示板用載置部に表示板を載置して、ゴム製パッキン等のシール材を挟んで、押え部材で表示板を取付け固定することにより、ＬＥＤ光源の防水を図ることができる。ＬＥＤ光源及び制御回路基板の防水性をさらに向上するために、反射フィルム３３とゴムシートを重ねあわせた状態で、導光板３０ａ、３０ｂ間に挟持されるようにしてもよい。このようにして装飾照明装置の防水性を付与することにより、本発明の装飾照明装置を浴室のウォールライトとして用いることもできる。
【００４８】
またさらに、装飾表示板に施す模様を文字とし、浴室用照明装置と同様の防水を施しておくことにより、玄関に取付ける門灯兼表札として用いることができる。主光源を照明しているときは門灯の役目を果たし、夜間には、主照明装置を消して、表示板だけを発光させておくことにより、夜間でも表札の字を読めることができ、しかも電気代は少なくて済む。
【００４９】
尚、壁面に取付けられる基台１の裏面は、壁面のフック等に取付けるための穴が開設されていてもよいし、逆に壁面に取付けるためのフックを備えていてもよい。取付ける壁面の状態、場所に応じて、適宜選択される。
【００５０】
また、光源をオンオフするスイッチの取付位置は特に限定せず、スイッチの種類も、切り替えスイッチ、押ボタンスイッチ、回転スイッチなど、適宜選択できる。
【産業上の利用可能性】
【００５１】
本発明の装飾照明装置は、居間、寝室、玄関、浴室など作業を主目的とせず、癒やし、くつろぎを主とする一般家庭の居室、ホテルの客室、レストラン、パブ等の雰囲気を重視する商業上施設の居室内に、装飾照明、雰囲気照明として用いられる。
【図面の簡単な説明】
【００５２】
【図１】本発明一実施形態の装飾照明装置の斜視図である。
【図２】図１の装飾照明装置の主光源用収容部部分を示す図である。
【図３】図１の装飾照明装置の装飾表示板用載置部を上方（発光面側）からながめた図である。
【図４】色調整カバーの一実施例の斜視図である。
【図５】装飾用表示板の一実施例を示す図である。
【符号の説明】
【００５３】
１  基台
２  主光源用収容部
３  装飾表示板用載置部
４  光透過孔
５  ソケット
６  反射板
１０  主光源（白熱ランプ）
１１  保護カバー
１２  色調整カバー
２２  制御回路基板
２３  ＬＥＤ光源  
２３ａ〜２３ｆ  ＬＥＤ
２３Ａ，２３Ｂ  ＬＥＤ光源組
３０  装飾表示板
３０ａ，３０ｂ  導光板
３１ａ〜３１ｆ  ＬＥＤ装着部
３６  シール材（ゴムリング）
４０  押え部材
【図１】
2005129426.tif 000003
【図２】
2005129426.tif 000004
【図３】
2005129426.tif 000005
【図４】
2005129426.tif 000006
【図５】
2005129426.tif 000007